(57)【要約】【課題】構造が簡単で、設置場所の制約が少なく、一つ又は少数の照明源で効果的、興趣深い照明を可能とする。【解決手段】蛍光顔料４を含有した成形体である棚板１の近傍又は内部に、紫外線８を放射するＬＥＤ５を配置し、このＬＥＤ５が放射する紫外線８により、蛍光顔料４を励起発光させて、棚板１を効果的且つ興趣深く照明する。【選択図】　　図１
2004103912.tif 000002
【特許請求の範囲】
【請求項１】
蛍光顔料を含有した成形体であって、この成形体の近傍に紫外線を放射するＬＥＤを配置し、前記ＬＥＤからの紫外線を受けて前記蛍光顔料が発光することを特徴とする成形体。
【請求項２】
前記ＬＥＤにカバーが付設されていることを特徴とする請求項１に記載の成形体。
【請求項３】
蛍光顔料を含有した成形体であって、この成形体の内部に紫外線を放射するＬＥＤを配置して、前記ＬＥＤからの紫外線を受けて前記蛍光顔料が発光することを特徴とする成形体。
【請求項４】
蛍光顔料を含有した成形体を取り付けた部材であって、この成形体の裏面に紫外線を放射するＬＥＤを配置して、前記ＬＥＤからの紫外線を受けて前記蛍光顔料が発光することを特徴とする部材。
【請求項５】
前記蛍光顔料は複数の色で構成されていることを特徴とする請求項１〜４のいずれか１項に記載の成形体又は部材。
【請求項６】
前記成形体は、前記蛍光顔料の色が互いに異なる複数の部分を有し、移動可能に取り付けられていることを特徴とする請求項４に記載の部材。
【請求項７】
前記成形体は、前記蛍光顔料の色が互いに異なる複数の部分を有し、回転可能に取り付けられていることを特徴とする請求項４に記載の部材。
【発明の詳細な説明】
【０００１】
【発明の属する技術分野】
本発明は、蛍光顔料を含有し紫外線を照射すると励起発光するプラスチック、セラミック等の成形体に関するものであり、さらにこの成形体を利用した棚板、水栓用ハンドル、浴槽、浴槽の天井、壁、装飾壁等の各種の部材に関するものである。
【０００２】
【従来の技術】
従来、表面に蛍光発光塗料を塗ったり、蛍光顔料入りの印刷フィルムを貼ったり、又は蛍光顔料入りの成形品の表面にブラックライトを照射して発光させる製品は知られている。
【０００３】
図６は、一つの従来例を説明する図であり、浴室内に設けた棚板５３には蛍光顔料が含有されており、この棚板５３を、棚板５３の上方の離れた位置にあるブラックライト５４の外部光により照射して発光させていた。
【０００４】
さらに、浴槽基体の内面に蛍光塗料層を形成し、その内面に透明アクリル樹脂層を形成した浴槽の上方からブラックライトを照射する構成は知られている（例えば、特許文献１参照。）。
【０００５】
さらに、浴室の天井、壁、手摺り、浴槽等にＬＥＤを多数配置して照明する構成、或いは透光性素材で形成した手摺りの端部からＬＥＤによる光を入れて照明する構成は知られている（例えば、特許文献２参照。）。
【０００６】
さらに、浴槽を外側から補強層、加飾層及び透明層で形成し、加飾層及び透明層の一部を切り欠いて、そこからＬＥＤで透明層に向けて照射する浴槽の演出照明装置は知られている（例えば、特許文献３参照。）。
【０００７】
さらに、浴室のカウンタの上部に透明なアクリル樹脂板の発光板を設け、この裏面に光反射シート、表面に光拡散シートを貼着して、この発光板の後端から管状蛍光灯で照明する構成は知られている（例えば、特許文献４参照。）。
【０００８】
【特許文献１】
特開２０００−１１６５５７号公報（第２頁、図２）
【特許文献２】
特開２００１−０４０８９１号公報（第２−４頁、図１、図５−１１）
【特許文献３】
特開２００１−１６９９４９号公報（第２−３頁、図１）
【特許文献４】
特開平０８−００４３２８号公報（第２頁、図１）
【０００９】
【発明が解決しようとする課題】
図６の従来例では、ブラックライトにより、照明又は発光させる必要のない部材まで照明又は発光してしまう（例えば、図６中、上の棚だけ発光させたいのに、下の棚まで発光させてしまう。）。要するに、照明又は発光させる部材とライトとの位置関係に制約があった。
【００１０】
さらに、従来の照明手段は、照明源（特許文献２のＬＥＤ）が多数必要であったり、被照明部材（特許文献１、３の浴槽、特許文献４の発光板等）が複数の層から構成されているから、その構造が複雑であった。
【００１１】
本発明は、上記従来の問題点を解決することを目的とするものであり、構造が簡単で、設置場所の制約が少なく、しかも照明源が小型で、被照明部材が小さい部材であれば一つの照明源で全体が照明でき、消費電力が少なく、寿命が半永久的な、蛍光顔料入りの成形体、及び該成形体を利用した部材を効果的かつ興趣深く発光させるものである。
【００１２】
【課題を解決するための手段】
本発明は上記課題を解決するために、蛍光顔料を含有した成形体であって、この成形体の近傍に紫外線を放射するＬＥＤを配置し、前記ＬＥＤからの紫外線を受けて前記蛍光顔料が発光することを特徴とする成形体を提供する。
【００１３】
前記ＬＥＤにカバーが付設されている構成としてもよい。
【００１４】
本発明は上記課題を解決するために、蛍光顔料を含有した成形体であって、この成形体の内部に紫外線を放射するＬＥＤを配置して、前記ＬＥＤからの紫外線を受けて前記蛍光顔料が発光することを特徴とする成形体を提供する。
【００１５】
本発明は上記課題を解決するために、蛍光顔料を含有した成形体を取り付けた部材であって、この成形体の裏面に紫外線を放射するＬＥＤを配置して、前記ＬＥＤからの紫外線を受けて前記蛍光顔料が発光することを特徴とする部材を提供する。
【００１６】
前記蛍光顔料は複数の色で構成されるようにしてもよい。
【００１７】
前記成形体は、前記蛍光顔料の色が互いに異なる複数の部分を有し、移動可能に取り付けられている構成としてもよい。
【００１８】
前記成形体は、前記蛍光顔料の色が互いに異なる複数の部分を有し、回転可能に取り付けられている構成としてもよい。
【００１９】
【発明の実施の形態】
本発明の実施の形態を実施例に基づいて図面を参照し、以下説明する。
【００２０】
（実施例１）
図１は、本発明の実施例１を説明する図であり、図１（ａ）は実施例１の第１の態様を示し、図１（ｂ）、（ｃ）は実施例１の第２の態様を示し、図１（ｄ）は実施例１の第３の態様を示す。そして、図１（ａ）、（ｂ）、（ｄ）は断面図であり、図１（ｃ）は、第２の態様の斜視図を示す。
【００２１】
図１（ａ）、（ｂ）、（ｄ）に示す第１〜３の態様の棚板１は、浴室、洗面所、トイレ、キッチン等の壁２に取り付けられる棚板１であり、例えば、Ｌ型の取付金具３及びボルト等の固定具で取り付けられている。図１（ｃ）に示す棚板１は、小物置き用の棚板で小さな幅であるが、幅や長さの大きい大きな棚板でもよい。
【００２２】
棚板１は、例えば、プラスチック（例えば、アクリル樹脂等）に蛍光顔料４を混練して成形された板材から構成される。要するに、棚板１は、蛍光顔料を含有したプラスチックが成形されて成る成形体である。なお、プラスチックとしては、光が透過する材料（光透過性を有する材料）であれば、表面に照射される光だけでなく、成形体の内部を透過する光も効果的に利用できるから、より好ましい。又、棚板１をセラミックの成形体とすると、視覚的な重厚感が向上する。
【００２３】
棚板１の近傍に紫外線を放射するＬＥＤ（発光ダイオード）５が設けられている。ここで「近傍」とは、棚板１（成形体）のみの全体又は一部を照射できる程度の近くという意味であり、その配置は、棚板１の直上（表面側）、直下（裏面側）、側面側及び端面側（端面の背後側）のいずれでもよい。
【００２４】
実施例１の第１の態様及び第２の態様では、棚板１の基端（図１（ａ）、（ｂ））に示す棚板１の右端）１０の直上近傍に、紫外線を放射するＬＥＤ５が設けられている。ＬＥＤ５には、電源に接続される電線６が接続され、この電線６は壁２を貫通する配線孔７を通して適宜、配線されている。
【００２５】
第１の態様（図１（ａ））では、特にＬＥＤ５に特に照明カバーを付設していない構成であり、このような構成では、ＬＥＤ５から放射する紫外線８を棚板１に十分向かうように、棚板１に対するＬＥＤ５の取付位置や、取り付け方向を考慮した構成とすることが好ましい。
【００２６】
第２の態様（図１（ｂ））では、ＬＥＤ５は、ＬＥＤ５から放射される紫外線８を反射して棚板１に積極的に向けるための照明用のカバー（照明用の反射鏡が好ましい。）９が、ＬＥＤ５を上方から覆ってＬＥＤ５に付設されるように、壁２に取り付けられている。
【００２７】
第３の態様（図１（ｄ））では、棚板１の基端１０の端面の背後側であって、基端１０の端面に対向してＬＥＤ５が設けられており、ＬＥＤ５から放射される紫外線８を棚板１の基端１０の端面から棚板１内に入射させる構成としている。
【００２８】
具体的には、第３の態様では、棚板１の基端１０の端面が当接する壁２に透孔１３を形成する。そして、棚板１の基端１０の端面の背後に紫外線８を放射するＬＥＤ５を配置する。このＬＥＤ５は、ＬＥＤ取り付け用のソケットカバー１１に取り付けられ、このソケットカバー１１は、壁２の背面に固定されている。ソケットカバー１１の内面は、反射しやすいような形状、かつ鏡面にしておくことが好ましい。これにより、紫外線８を棚板１の基端１０の端面に照射する効率が向上する。
【００２９】
以上の構成から成る実施例１の第１〜３の態様の作用を夫々説明する。第１の態様では、ＬＥＤ５から放射される紫外線８は、図１（ａ）に示すように、棚板１の上面に照射され、その表面にある蛍光顔料４を照射して励起発光させる。
【００３０】
さらに、棚板１の上面から棚板１内に入射（入光）した紫外線８は、棚板１内にある蛍光顔料４を照射して励起発光させ、この光（具体的には蛍光である。）を棚板１から出光させる。さらに、棚板１内に入射した紫外線８の一部は、棚板１の互いに平行な上面及び下面により全反射されて、棚板１内を基端１０から先端１２に向けて進行し、棚板１の先端１２から出射（出光）するが、この進行中、蛍光顔料４を照射して励起発光させ、この光を棚板１の各面から出光させる。
【００３１】
第２の態様では、ＬＥＤ５から放射される紫外線８は、棚板１に集光されて照射されるので、ＬＥＤ５から放射される紫外線８をより効果的に利用できる。即ち、ＬＥＤ５から放射される紫外線８は、照明用のカバー９の内面で反射されて棚板１の上面に集光して照射され、第１の態様と同様に棚板１の表面の蛍光顔料４を励起発光させるが、第１の態様よりもより多くの光量の紫外線８を、棚板１の上面に照射することができる。
【００３２】
棚板１に照射された紫外線８は、棚板１の表面及び棚板１内にある蛍光顔料４を照射して励起発光させ、その光（蛍光）を棚板１から出光させる。さらに、棚板１内に入射した紫外線８の一部は、棚板１の互いに平行な上面及び下面により全反射されて、棚板１内を基端１０から先端１２に向けて進行する。
【００３３】
紫外線８が棚板１内を進行する際に、棚板１内の蛍光顔料４を照射する。すると、紫外線８が蛍光顔料４を励起発光させる。蛍光顔料４から発光した蛍光は、棚板１を透過して棚板１の上面、下面、側面及び先端１２の端面から外部に出射する。
【００３４】
このように第１及び第２の態様では、ＬＥＤ５から放射される紫外線を、棚板１の上面又はその一部に、上方から照射しただけで、棚板１の全体から発光するかのように見える。従って、暗い中で棚板１を照明し、又棚板１自体が周囲への照明源ともなる。又、棚板１が全体的に発光するから、浴室、キッチン、洗面所、トイレ等の利用者への興趣深さを与える。
【００３５】
第３の態様では、ＬＥＤ５から発光する紫外線８は、壁２の透孔１３を通して棚板１の基端１０の端面から棚板１内に入射して、その一部は棚板１内をその先端１２に向けて直進し、又その一部は実施例１、２同様に、棚板１内を先端１２に向けて上下面で全反射しながら進行する。紫外線８が棚板１内を先端１２に向けて進行する間に、蛍光顔料４を励起発光させて、その光を棚板１の各面から出射するので、第１及び２の態様と同様に、効果的に発光し、照明源ともなる。
【００３６】
（実施例２）
図２は、本発明の実施例２を説明する図である。この実施例２は、実施例１とほぼ同じ構成であるが、その特徴は、紫外線８の照射源であるＬＥＤ５を棚板１の基端１０の内部に設け、ＬＥＤ５から放射される紫外線８を棚板１内に向けて入射し、透過させる構成とした点である。
【００３７】
これを具体的に図２（ａ）及びそのＡ−Ａ断面である図２（ｂ）で説明する。実施例１と同様に、蛍光顔料４を含有した光透過性のプラスチックから成形した成形体である棚板１を、壁２に取付金具３及びボルトで取り付ける。この棚板１の基端１０の端面には、棚板１の先端側に窪んだ凹部１４が形成されている。
【００３８】
この凹部１４内にＬＥＤ５が装入されて取り付けられている。そして電源に接続される電線６は、壁２に形成された配線孔７を通して壁２の背後に導出されている。
【００３９】
凹部１４内にＬＥＤ５を装入し取り付ける構造としては、例えば、図２（ａ）、（ｂ）に示すように、ＬＥＤ５を支持している支持部片１５を凹部１４に螺着するような構成としてもよいし、或いは支持部片１５を壁２の内面にネジ等で固定するような構成としてもよい。
【００４０】
この実施例２によると、ＬＥＤ５から発光する紫外線８は、凹部１４から棚板１に照射され、実施例１同様に、その一部は表面から出光し、その一部は棚板１内を先端１２に向けて直進し、その一部は棚板１内を先端１２に向けて上下面で全反射しながら進行する。このように紫外線８が棚板１内を進行する際に、顔料を励起発光させて、実施例１同様に棚板１の発光及び棚板１による照明を可能とする。
【００４１】
なお、棚板１内に設けるＬＥＤ５の配置についてはいろいろな構成が考えられる。その一例として、図２（ｃ）及びそのＢ−Ｂ断面図である図２（ｄ）に、実施例２の変形例を示す。この変形例は、ＬＥＤ５を、棚板１の基端１０と先端１２の中間部に設けた構成である。
【００４２】
これは、具体的には、棚板１の中間部における下面に開口する凹部１６を設け、さらに下面にはこの凹部１６から基端１０まで電線埋設用の溝１７を形成しておく。この凹部１６にＬＥＤ５を装入して取付け、電線６を溝１７内を通して、壁２の配線孔７から導出するような構成とする。
【００４３】
以上の実施例１、２では、ＬＥＤ５を一つ設けた例を示したが、棚板１の横幅が大きい場合は、一つのＬＥＤ５では棚板１全体が照明できないので、複数のＬＥＤ５を棚板１の横幅方向に一定間隔で設けてもよい。同様に、棚板１の奥行き幅が大きい場合は、一つのＬＥＤ５では棚板１全体が照明できないので、特に実施例２の変形例等の場合は、複数のＬＥＤ５を棚板１の奥行き方向（図２（ｃ）中の紙面左右方向）に一定間隔で設けてもよい。
【００４４】
さらに、実施例１、２では、棚板１の表面を平滑面としたが、棚板１の表面に微細な凹凸面（粗面）を設ければ、棚板１から出射する蛍光は散乱するのでより明るい発光が可能となる。
【００４５】
又、実施例１〜３は、棚板１に関する実施例であるが、本発明に係る成形体は、棚板１に限らず、板状、棒状等の成形体であって各種用途の部材に適用でき、例えば、浴槽、浴槽の天井壁、装飾壁等にも適用できる。
【００４６】
（実施例３）
図３は、本発明の実施例３を説明する図である。図３（ａ）はその正面図であり、そのＡ−Ａ断面図を図３（ｂ）に示す。この実施例３は、本発明をキッチン、洗面、浴室等で使用される湯水混合用の水栓用のハンドル１８の表示照明装置に適用した例である。
【００４７】
このハンドル１８を回すことにより、湯と水の混合割合いを変えて湯水の温度を調整することができるものであり、その湯水の混調機構の構造自体は周知であるからここではその説明は省略し、以下、ハンドル１８の表示照明装置について説明する。
【００４８】
ハンドル１８は、図３（ｂ）に示すように、全体として断面凹状に形成されており、その中心には内側に向けてボス１９が形成されている。このボス１９には、回転操作軸２０の基端（図３（ｂ）中の左端）が固定されている。この回転操作軸２０は、壁２を通して回転可能に取り付けられており、その先端側には湯水の混調機構（図示省略）に接続されている。
【００４９】
ハンドル１８の正面壁２１には、ハンドル１８の周縁に沿って一定の幅を有する半円状（半環状）の透孔２２が形成されており、この透孔２２に半円状（半環状）の表示部材２３が装着されている。この表示部材２３は、例えば、光が透過するプラスチック材料に蛍光顔料４を混練して成形されて成るものであり、要するに、蛍光顔料４を含有した光透過性のプラスチックの成形体である。
【００５０】
この実施例３では、表示部材２３は、湯水の三つの温度領域に対応して周方向に三つの表示部２４、２６、２５に区分されている。表示部材２３の三つの表示部は、紫外線８が照射されると励起されて互いに異なる色が発光するように互いに異なる色の蛍光顔料４が混練されている。要するに、表示部材２３は、複数の色（三つの色）の蛍光顔料４から成る三つの色表示部２４、２６、２５に区分されている。
【００５１】
又、このように異なる色の蛍光顔料４を混練して成形すると、その境界部の顔料を区分けして成形することが困難であるため、複数の色（三つの色）の成形体を個別に成形した後、各々の成形体を貼り付けて一つの表示部材２３としてもよい。
【００５２】
具体的には、表示部材２３は、正面から見て、左部には温度の高い湯の領域に対応し赤色を発光する蛍光顔料４が混練された赤色表示部２４を有し、右部には温度の低い水の領域に対応して青色を発光する蛍光顔料４が混練された青色表示部２５を有し、これらの中間の温度の湯水の領域に対応し黄色を発光する蛍光顔料４が混練された黄色表示部２６を有している。
【００５３】
壁２に形成された配線孔７に対応して壁２からハンドル１８の内側に向けてＬＥＤ装着用のソケットカバー１１’が取り付けられている。このソケットカバー１１’内には、紫外線８を放射するＬＥＤ５が装着されており、このＬＥＤ５から電源に接続される電線６が配線孔７を通して壁２の背面側に導出されている。ＬＥＤ５から放射した紫外線８が表示部材２３を照射できるように、ソケットカバー１１’及びＬＥＤ５は、半円状の表示部材２３に対応した位置に設けられている。
【００５４】
以上の構成から成るハンドル１８の表示照明装置の作用を説明する。ハンドル１８の回転停止位置が、図３（ａ）に示すように中立状態にある時には、黄色表示部２６がＬＥＤ５の位置に対応しており、ＬＥＤ５から放射される紫外線８は黄色表示部２６を背後から照射し、黄色の蛍光顔料４を励起発光して黄色の発光表示をする。
【００５５】
使用者がハンドル１８を時計針廻りの方向に回転操作して高温側を選択すると、赤色表示部２４がＬＥＤ５の位置に対応するから、ＬＥＤ５から放射される紫外線８は赤色表示部２４を背後から照射し、赤色の蛍光顔料４を励起発光して赤色の発光表示をする。同様に、ハンドル１８を反時計針廻りの方向に回転操作して低温側（水）を選択すると、青色表示部２５がＬＥＤ５の位置に対応するから、ＬＥＤ５から放射される紫外線８は青色表示部２５を背後から照射し、青色の蛍光顔料４を励起発光して青色の発光表示をする。
【００５６】
この実施例３では、ハンドル１８を回転操作することにより、１つのＬＥＤ５で三つ（複数）の色表示部を選択して、複数の色を発光表示することができる。しかも、ＬＥＤ５という小さな照明源から放射される紫外線８で蛍光顔料を照射して励起発光することにより、明るい発光表示が可能となる。
【００５７】
図３（ｃ）及びそのＢ−Ｂ断面図である図３（ｄ）は、実施例３の変形例を説明する図であり、その構成は実施例３とほぼ同じであるが、その特徴は、回転操作軸２０の先端（図３（ｃ）中の右端）をスイッチケース３１に回転可能に取り付け、このスイッチケース３１内に、回転選択スイッチ機構２７を設けている構成である。
【００５８】
この回転選択スイッチ機構２７は、回転操作軸２０に固着した回転板２８を有し、この回転板２８の裏面に一つの導電片２９を固定するとともに、回転板２８に対面して接触可能な三つの常開スイッチ接点３０（３０Ｒ、３０Ｂ、３０Ｙ）が、スイッチケース３１の内面に周方向に隔設されて構成される。
【００５９】
回転選択スイッチ機構２７は、三つの常開スイッチ接点３０（３０Ｒ、３０Ｂ、３０Ｙ）を三つの色表示部２４、２６、２５に対応して設けることにより、ハンドル１８を回転操作して、回転板２８を選択的に回転し、導電片２９を常開スイッチ接点３０の一つに選択的に接触して閉じることができ、しかも選択した色表示部２４、２６、２５の色の発光表示を行うことが可能である。
【００６０】
（実施例４）
図４は、本発明の実施例４を説明する図であり、図４（ａ）は、その原理を説明する図である。スライド部材３２は、その長手方向（図４（ａ）中の矢印方向）に移動可能な部材である。このスライド部材３２は、紫外線８をその下方又は上方から照射すると励起発光される蛍光顔料が混練されたプラスチック材料から成形された成形体である。
【００６１】
そして、このスライド部材３２は、その長手方向の複数の領域の夫々毎に、紫外線８が照射されると互いに異なる色を発光する異なる色の蛍光顔料４が混練された、複数の色表示部３３〜３７を有する。
【００６２】
スライド部材３２の下面（裏面）側に、紫外線８を放射するＬＥＤ５をその位置を固定して配置している。今、スライド部材３２をその長手方向に移動し、ＬＥＤ５の位置に対応して、複数の色表示部３３〜３７から選択されたある色表示部（図１（ａ）では色表示部３５）を選択すると、ＬＥＤ５が放射する紫外線８がその選択された色表示部の蛍光顔料を励起発光してその色の発光表示を行う。
【００６３】
図４（ｂ）、（ｃ）及び図５（ａ）〜（ｃ）は、この原理をスライドスイッチとして具体化した実施例４を説明する図であり、図４（ｂ）は斜視図であり、図４（ｃ）は、図４（ｂ）のＡ−Ａ断面図であり、図５（ａ）〜（ｃ）は、図４（ｃ）のＢ−Ｂ断面図である。
【００６４】
図４、５において、スライドスイッチ３８は、それが設けられる家屋内の壁や機器本体３９に形成された案内溝４０に沿ってその長手方向にスライドする操作部材４１を有する。この操作部材４１は、プラスチック材から形成されており、その表面側には操作用に指をかける摘み４２が形成されており、裏面には図５（ａ）に示すように、導電片４３が固定されている。操作部材４１の一部に長手方向に長細く形成された透孔４４を有する。
【００６５】
この透孔４４に、表示部材４５が装着されている。この表示部材４５は、紫外線８を照射すると励起発光される蛍光顔料４が混練されたプラスチック材料から成形された成形体から成る。この表示部材４５は、紫外線８が照射されると互いに異なる色を発光する異なる色の蛍光顔料４が混練されて成る複数の色表示部４６、４７、４８が、長手方向に連設されている（隔設されてもよい。）。
【００６６】
壁や機器本体３９において、操作部材４１がスライドする下方には凹所４９が形成されており、この凹所４９には、三つの常開スイッチ接点５０、５１、５２が導電片４３に選択的に接触可能なように突出して設けられている。
【００６７】
さらに、凹所４９には、紫外線８を放射するＬＥＤ５が、操作部材４１の表示部材４５に対向し、複数の色表示部４６、４７、４８に選択的に照射可能な位置に固定して設けられている。三つの常開スイッチ接点５０、５１、５２が導電片４３に選択的に接触可能な位置と、ＬＥＤ５が表示部材４５に対向し、複数の色表示部４６、４７、４８を選択的に照射する位置は互いに対応して構成されている。
【００６８】
以上の構成から成る実施例４の作用を説明する。図５（ａ）〜（ｃ）に示すように、使用者は、摘み４２に指をかけて操作部材４１をその長手方向にスライドして、導電片４３が複数の常開スイッチ接点５０、５１、５２の一つを選択して閉じることができる。
【００６９】
この操作部材４２の選択位置に対応して、表示部材４５の複数の色表示部４６、４７、４８の一つがＬＥＤ５に対向する位置に選択される。すると、ＬＥＤ５から放射される紫外線８は、選択された色表示部４６、４７、４８の蛍光顔料４を照射して励起発光し、選択された色表示部の色を発光表示することができる。
【００７０】
以上、本発明に係る蛍光顔料を含有した発光成形体実施形態を実施例に基づいて説明したが、本発明は特にこのような実施例に限定されることなく、特許請求の範囲記載の技術的事項の範囲内でいろいろな実施例があることはいうまでもない。
【００７１】
【発明の効果】
本発明は以上の構成であるので、次のような効果が生じる。
（１）紫外線を放射するＬＥＤを利用して蛍光顔料入り成形体を照射し、励起発光させるようにしたので、ＬＥＤから放射される紫外線により、きわめて効率的で明るい照明が可能となり、照明源が小型で済み、成形体が小さい部材であれば一つ又は少数で全体が照明でき、消費電力が少なく、しかも寿命が半永久的である。
【００７２】
（２）照明源であるＬＥＤと被照明体である蛍光顔料入り成形体の配置を近傍、端部又は内部としたので、全体的な構造がきわめて構造が簡単となり、その設置場所の制約等の条件が少ない。
【００７３】
（３）照明源であるＬＥＤを固定して、被照明体である蛍光顔料入り成形体を移動可能とし、しかも異なる複数の色の蛍光含量を含む複数の色領域を設けることにより、各種の機器の選択状態を色表示でき、又色を選択できるという興趣深い照明も可能となる。
【図面の簡単な説明】
【図１】本発明の実施例１を説明する図である。
【図２】本発明の実施例２を説明する図である。
【図３】本発明の実施例３を説明する図である。
【図４】本発明の実施例４を説明する図である。
【図５】本発明の実施例４を説明する図である。
【図６】従来例を説明する図である。
【符号の説明】
１　　棚板
２　　壁
３　　取付金具
４　　蛍光顔料
５　　ＬＥＤ
６　　電線
７　　配線孔
８　　紫外線
９　　照明用のカバー
１０　　棚板の基端
１１、１１’　　ソケットカバー
１２　　棚板の先端
１３　　壁の透孔
１４　　棚板の基端の端面に形成された凹部
１５　　支持部片
１６　　凹部
１７　　電線埋設用の溝
１８　　ハンドル
１９　　ボス
２０　　回転操作軸
２１　　ハンドルの正面壁
２２　　ハンドルの透孔
２３　　表示部材
２４　　赤色表示部
２５　　青色表示部
２６　　黄色表示部
２７　　回転選択スイッチ機構
２８　　回転板
２９　　導電片
３０、３０Ｒ、３０Ｂ、３０Ｙ　　常開スイッチ接点
３１　　スイッチケース
３２　　スライド部材
３３、３４、３５、３６、３７　　スライド部材の色表示部
３８　　スライドスイッチ
３９　　機器本体
４０　　案内溝
４１　　操作部材
４２　　操作部材の摘み
４３　　導電片
４４　　操作部材の透孔
４５　　表示部材
４６、４７、４８　　色表示部
４９　　凹所
５０、５１、５２　　常開スイッチ接点
５３　　棚板
５４　　ブラックライト
【図１】
2004103912.tif 000003
【図２】
2004103912.tif 000004
【図３】
2004103912.tif 000005
【図４】
2004103912.tif 000006
【図５】
2004103912.tif 000007
【図６】
2004103912.tif 000008